(57)【特許請求の範囲】
【請求項１】
回す方向が一つの方向に定まっている防滑及び角潰れ防止のスパナにおいて、ハンドルが設けられ、その一端にヘッドが設けられ、該ヘッドより第１顎と第２顎が延伸され、上記ハンドルの回転方向上、上流側に上記第１顎が、下流側に上記第２顎が配置され、該第１顎と第２顎の間に喉孔が形成され、該喉孔中段位置に第１凹部が設けられ、
該第１顎と第２顎の内側にそれぞれ平行な第１歯区と第２歯区が設けられ、該第１歯区は夫々がスパナの開口位置より該喉孔に向く向きである縦向きの長さを有する平当接面を備えた複数の歯を有し、該第２歯区は夫々が該スパナの開口位置より該喉孔に向く向きである縦向きの長さを有する平当接面を備えた複数の歯を有し、第２歯区の歯の歯形は第１歯区の歯の歯形より大きく、且つ、第２歯区の歯数が第１歯区の歯数より少なく、且つ、第２歯区の所定の歯の平当接面の縦向き長さは、第１歯区の歯の平当接面の縦向き長さよりも長く、該第１歯区と第２歯区が不対称に設置され、
該第１歯区の一側の喉孔に連接する位置に第２凹部が設けられ、該第２歯区の一側の喉孔に連接する位置に第３凹部が設けられ、該第２凹部と第３凹部が斜めの第１平直面で連接され、第３凹部と第１凹部が斜めの第２平直面で連接され、
これにより、固定部品がスパナの喉孔に挿入される時、該固定部品の一側の三つの角がそれぞれ第１凹部、第２凹部、第３凹部に嵌入し、並びに第１、第２平直面が固定部品の三つの角の両側辺に当接し、固定部品を第１歯区と第２歯区で支持し噛み付き、スパナに防滑及び角潰れ防止の機能を達成させたことを特徴とする、防滑及び角潰れ防止のスパナ。
【請求項２】
請求項１に記載の防滑及び角潰れ防止のスパナにおいて、第１歯区が四つの歯を具え、各一つの歯の平当接面は同じ縦向き長さであり、第２歯区がスパナ開口位置より喉孔内に向けて設置された三つの歯を具え、この第２歯区の三つの歯の平当接面は縦向き長さがいずれも異なることを特徴とする、防滑及び角潰れ防止のスパナ。
【請求項３】
請求項２に記載の防滑及び角潰れ防止のスパナにおいて、第２歯区の三つの歯がスパナ開口位置より喉孔内に向けて順に、第１歯、第２歯、第３歯とされ、該第１歯の平当接面の縦向き長さが三つの歯のうち最長とされ、第３歯の平当接面の縦向き長さが二番目に長いことを特徴とする、防滑及び角潰れ防止のスパナ。
【請求項４】
請求項２に記載の防滑及び角潰れ防止のスパナにおいて、第２歯区のそのうちの二つの歯の平当接面の縦向き長さがいずれも第１歯区の四つの歯の平当接面より大きいことを特徴とする、防滑及び角潰れ防止のスパナ。
【請求項５】
請求項１に記載の防滑及び角潰れ防止のスパナにおいて、上記第１顎と第２顎の内側の第１歯区と第２歯区は、固定部品がスパナの喉孔に挿入されたとき、該固定部品の前記一側とは反対の側の二つの対応する反対側角に対向する部分が、第１歯区の歯及び第２歯区の歯の平当接面ではない構成であり、
該第１歯区の歯及び第２歯区の歯の平当接面が、前記固定部品の前記反対側角に不接触であることを特徴とする、防滑及び角潰れ防止のスパナ。
【発明の詳細な説明】
【０００１】
【発明の属する技術分野】
本発明は一種のスパナに係り、特に一種の、防滑及び角潰れ防止のスパナに関する。
【０００２】
【従来の技術】
伝統的な産業中、特に手持ち工具は大量の販売市場を有し、それは品質、実用性及び良好な操作性などの因子がいずれも市場での優勢を占有することにより、市場を確保できる。このため手持ち工具は製造の方式及び過程が直接コストと生産速度と密接に関係し、また、現在の手持ち工具の最も重要な競争力となる。
【０００３】
図１は周知のオープンエンドスパナ１０であり、それはハンドル１１を具え、該ハンドル１１の一端より二つの、ほぼ等長の第１顎１２、第２顎１３が延伸され、該第１顎１２、第２顎１３間に喉孔１４が形成され、該喉孔１４が６個の側辺と６個の角を具えた六角形固定部品２０に套設され、第１顎１２、第２顎１３の内側面にそれぞれ平行な当接辺１２１、１３１が設けられ、相互に所定の距離離間し、そのうち、回す操作を行う時、当接辺１２１、１３１はそれぞれ固定部品２０の第１側辺２１、第２側辺２２に当接し、スパナ１０が力を受けて固定部品２０を駆動し、固定部品２０が確実にスパナ１０により回される。しかし、当接辺１２１、１３１は平坦面であるため、回す時に空回りの状況を発生しやすく、喉孔１４が摩擦現象を発生し、摩損して角を潰し、また回す時に、当接辺１２１、１３１に対応する第２、第３角２４、２５も、当接辺１２１、１３１と摩擦を発生し、角が丸くなり、並びに該オープンエンドスパナ１０の喉孔１４は内凹円弧状を呈し、固定部品２０の第３、第４側辺２６、２７位置に当接せず、回す過程で、比較的高いトルク表現を提供できず、このためオープンエンドスパナ１０には改良の必要があった。
【０００４】
図２は上述の欠点を解決した別の周知のオープンエンドスパナ３０構造であり、そのハンドル３１の一端の第１、第２顎３２、３３の内側面に、それぞれ噛合歯３２１、３３１が設けられ、回す過程で、固定部品２０の第１側辺２１及び第２側辺２２に噛みつき、それが空回り状況を発生しないようにしている。これは防滑の機能を有するが、固定部品２０の第１角２３が喉孔３４と摩擦の現象を発生しやすく、及び固定部品２０の第２、第３角２４、２５と第１、第２顎３２、３３内側面が回すうちに摩擦の状況を発生し、これは未だに改善されておらず、且つオープンエンドスパナ１０の喉孔１４が内凹円弧状を呈するため、固定部品２０の第３、第４側辺位置に当接できず、比較的高いトルク表現を提供することはできず、当然、改良の必要を有していた。
【０００５】
【発明が解決しようとする課題】
本発明は上述の従来のスパナが固定部品に対して形成する問題を改善した、一種の、防滑及び角潰れ防止のスパナを提供することを課題としている。
【０００６】
【課題を解決するための手段】
請求項１の発明は、防滑及び角潰れ防止のスパナにおいて、
ハンドルが設けられ、その一端にヘッドが設けられ、該ヘッドより第１顎と第２顎が延伸され、該第１顎と第２顎の間に喉孔が形成され、該喉孔中段位置に第１凹部が設けられ、
該第１顎と第２顎の内側にそれぞれ平行な第１歯区と第２歯区が設けられ、該第１歯区と第２歯区が不対称に設置され、
該第１歯区の一側の喉孔に連接する位置に第２凹部が設けられ、該第２歯区の一側の喉孔に連接する位置に第３凹部が設けられ、該第２凹部と第３凹部が斜めの第１平直面で連接され、第３凹部と第１凹部が斜めの第２平直面で連接され、これにより、固定部品がスパナの喉孔に挿入される時、該固定部品の一側の三つの角がそれぞれ第１凹部、第２凹部、第３凹部に嵌入し、並びに第１、第２平直面が固定部品の三つの角の両側辺に当接し、固定部品を第１歯区と第２歯区で支持し噛み付き、スパナに防滑及び角潰れ防止の機能を達成させたことを特徴とする、防滑及び角潰れ防止のスパナとしている。
請求項２の発明は、請求項１に記載の防滑及び角潰れ防止のスパナにおいて、第２歯区の歯形が第１歯区の歯形より大きく設置されたことを特徴とする、防滑及び角潰れ防止のスパナとしている。
請求項３の発明は、請求項１に記載の防滑及び角潰れ防止のスパナにおいて、第２歯区の歯数が第１歯区の歯数より少ないことを特徴とする、防滑及び角潰れ防止のスパナとしている。
請求項４の発明は、請求項１に記載の防滑及び角潰れ防止のスパナにおいて、第１歯区が四つの歯を具え、各一つの歯が同じ縦向き長さの平当接面を具え、第２歯区がスパナ開口位置より喉孔内に向けて設置された三つの歯を具え、この第２歯区の三つの歯の平当接面の縦向き長さがいずれも異なることを特徴とする、防滑及び角潰れ防止のスパナとしている。
請求項５の発明は、請求項４に記載の防滑及び角潰れ防止のスパナにおいて、第２歯区の三つの歯がスパナ開口位置より喉孔内に向けて順に、第１歯、第２歯、第３歯とされ、該第１歯の平当接面の縦向き長さが三つの歯のうち最長とされ、第３歯の平当接面の縦向き長さが二番目に長いことを特徴とする、防滑及び角潰れ防止のスパナとしている。
請求項６の発明は、請求項４に記載の防滑及び角潰れ防止のスパナにおいて、第２歯区のそのうちの二つの歯の平当接面の縦向き長さがいずれも第１歯区の四つの歯の平当接面より大きいことを特徴とする、防滑及び角潰れ防止のスパナとしている。
請求項７の発明は、請求項４に記載の防滑及び角潰れ防止のスパナにおいて、固定部品がスパナの喉孔に挿入される時、該固定部品のもう一側の二つの対応する角が第１歯区の歯及び第２歯区の歯の平当接面と不接触とされたことを特徴とする、防滑及び角潰れ防止のスパナとしている。
【０００７】
【発明の実施の形態】
本発明は一種の防滑及び角潰れ防止のスパナを提供し、それは、ハンドルを具え、該ハンドルの一端のヘッドより延伸された第１顎と第２顎の間に喉孔が設けられ、該喉孔の中段位置に第１凹部が設けられ、第１、第２顎内側に平行な第１歯区と第２歯区があり、第１歯区と第２歯区が不対称に設置され、第１歯区の一側の喉孔に連接する位置に第２凹部が設けられ、第２歯区の一側の喉孔に連接する位置に第３凹部が設けられ、第２凹部と第１凹部が斜めに第１平直面で連接され、第３凹部と第１凹部が斜めの第２平直面で連接されている。これにより、固定部品をスパナ喉孔に挿入する時、該固定部品の一側の三つの端角がそれぞれ第１凹部、第２凹部、第３凹部中に収容され且つ固定部品が第１歯区と第２歯区に噛み合い支持され、スパナが防滑及び角潰れ防止の機能を達成する。
【０００８】
【実施例】
本発明は一種の防滑及び角潰れ防止のスパナを提供し、以下に図を参照して本発明の実施例の詳細な説明を行う。
【０００９】
図３に示されるように、本発明は、ハンドル４０を具え、該ハンドル４０の一端にヘッド４２が設けられ、該ヘッドより略等長の第１顎４３、第２顎４４が延伸され、該第１顎４３と第２顎４４の間に喉孔４５が形成され、該喉孔４５の中段位置に第１凹部４５１が設けられている。
【００１０】
該第１顎４３、第２顎４４の内側面は所定の距離離間し、該第１顎４３の内側面に第１歯区４３１が設けられ、該第１歯区４３１は四つの歯４３２を具え、各一つの歯４３２が同じ縦向き長さの平当接面４３３を具え、第１歯区４３１の一側の喉孔４５に連接する位置に第２凹部４５２が設けられ、該第２顎４４内側面に第２歯区４４１が設けられている。
【００１１】
該第２歯区４４１はスパナ１０開口位置より喉孔４５内に向けて設置された第１歯４４２、第２歯４４３及び第３歯４４４を具え、第２歯区４４１の歯数は第１歯区４３１の歯数より少なく、並びに第１歯４４２の平当接面４４２ａの縦向き長さは三つの歯のうち最長であり、第２歯４４３の平当接面４４３ａの縦向き長さは三つの歯のうち最短であり、第３歯４４４の平当接面４４４ａの縦向き長さは残り二つの歯の間とされ、第３歯４４４の平当接面４４４ａの縦向き長さは第１歯区４３１の四つの歯４３２の平当接面４３３より長く、そのうち、第３歯４４４の一側の喉孔４５に連接する位置に第３凹部４５３が設けられている。
【００１２】
該第２凹部４５２と第１凹部４５１が第１平直面４５４で連接され、該第３凹部４５３と第１凹部４５１が斜めに第２平直面４５５で連接されている。
【００１３】
図４に示されるのは、本発明の第１顎４３と第２顎４４が一つの固定部品５０を挟持した状態表示図である。固定部品５０の第１角５１、第２角５２、第３角５３はそれぞれ第２凹部４５２、第１凹部４５１、第３凹部４５３中に嵌入し、並びに喉孔４５の第１平直面４５４と第２平直面４５５が固定部品５０の第３側辺５０３と第４側辺５０４位置に当接し、並びに第１歯区４３１と第２歯区４４１の設置により、固定部品５０の第１側辺５０１と第２側辺５０２が第１歯区４３１と第２歯区４４１に支持され、固定部品５０の第４角５４と第５角５５は、第１歯区４３１の歯４３２の平当接面４３２及び第２歯区４４１の第１歯４４２の平当接面４４２ａと接触しない。
【００１４】
図５に示されるのは、本発明を回す状態の表示図である。固定部品５０の第１側辺５０１及び第２側辺５０２は第１歯区４３１と第２歯区４４１に支持され、回す時に防滑の効果を得られ、且つ第２歯区４４１に設置された歯数は比較的少なく、並びに第２歯区４４１の第１歯４４２と第３歯４４４の平当接面４４２ａ、４４４ａの縦向き長さはいずれも第１歯区４３１の歯４３２の平当接面４３３より大きいため、第２歯区４４１の歯形を第１歯区４３１の歯形より大きく設置でき、これにより防滑の効果のほか、第２歯区４４１の支持力を増加でき、スパナ４０のトルク値表現に有利である。さらに、スパナ４０で固定部品５０を回す時、防滑効果のほか、第１、第２平直線面４５４、４５５が固定部品５０の第３側辺５０３と第４側辺５０４の位置に当接し、固定部品５０を駆動する効果が強化され、比較的高いトルク表現を提供する。また、固定部品５０がスパナ４０に回される時、その三つの角が各凹部位置に嵌入し、各角が圧迫を受けて角が丸くなる状況の発生を防止でき、ゆえに本発明は確実に進歩性を有し、特許の要件に符合する。
【００１５】
【発明の効果】
以上から、本発明は以下の優れた点を有している。
１．本発明の防滑及び角潰れ防止のスパナは、スナパの喉孔位置に三つの凹部が設けられ、並びに固定手段がスパナの喉孔位置に収容される時、そのうちの三つの角が三つの凹部に収容され、スパナを回す操作中に、スパナの角が喉孔内壁と摩擦を発生せず、角潰れを発生しない。
２．本発明の防滑及び角潰れ防止のスパナは、スパナで固定部品を回す時、防滑効果のほか、第１、第２平直面が固定部品の第３側辺と第４側辺位置に当接し、固定部品駆動の効果を強化し、比較的高いトルク値表現を提供できる。
３．本発明の防滑及び角潰れ防止のスパナは、第１、第２顎の第１歯区と第２歯区が不対称に設置され、第２歯区の歯数が比較的少なく設置され、第２歯区の歯形を第１歯区の歯形より大きくすることができ、回す過程で、防滑効果のほか、第２歯区の支持力を増加でき、回すのに有利な効果を有する。
【図面の簡単な説明】
【図１】周知のオープンエンドスパナの固定部品挟持表示図である。
【図２】周知のもう一種類のオープンエンドスパナの固定部品挟持、動作表示図である。
【図３】本発明のスパナの平面図である。
【図４】本発明のスパナの固定部品挟持表示図である。
【図５】本発明のスパナが固定部品を挟持し回す動作の表示図である。
【符号の説明】
１０  オープンエンドスパナ          １１  ハンドル
１２  第１顎                        １２１  当接辺
１３  第２顎                        １３１  当接辺
１４  喉孔                          ２０  固定部品
２１  第１側辺                      ２２  第２側辺
２３  第１角                        ２４  第２角
２５  第３角                        ２６  第３側辺
２７  第４側辺                      ３０  オープンエンドスパナ
３１  ハンドル                      ３２  第１顎
３２１  噛合歯                      ３３  第２顎
３３１  噛合歯                      ３４  喉孔
４０  スパナ                        ４１  ハンドル
４２  ヘッド                        ４３  第１顎
４３１  第１歯区                    ４３２  歯
４３３  平当接面                  ４４  第２顎
４４１  第２歯区                    ４４２  第１歯
４４２ａ  平当接面                ４４３  第２歯
４４３ａ  平当接面                ４５  喉孔
４５１  第１凹部                    ４５２  第２凹部
４５３  第３凹部                    ４５４  第１平直面
４５５  第２平直面                  ５０  固定部品
５１  第１角                        ５２  第２角
５３  第３角                        ５４  第４角
５５  第５角                        ５０１  第１側辺
５０２  第２側辺                    ５０３  第３側辺
５０４  第４側辺
【図１】
0003761166.tif 000002
【図２】
0003761166.tif 000003
【図３】
0003761166.tif 000004
【図４】
0003761166.tif 000005
【図５】
0003761166.tif 000006